(57)【要約】【課題】製造コストの上昇を抑制して利便性を向上できる表示装置を提供する。【解決手段】表示装置は、画面１１ａを有する表示部１１と、表示部１１の周囲を照明する照明装置３に接続可能なＬＡＮ７を介して、照明装置３のＬＡＮ７に接続時に照明装置３と双方向の通信を行う無線接続部１６と、照明装置３からの信号に基づいて、画面１１ａに表示される画像の画質を調整する制御部１９とを備える。【選択図】図１
2016024309.tif 000002
【特許請求の範囲】
【請求項１】
画面を有する表示部と、
前記表示部の周囲を照明する照明装置に接続可能な所定のネットワークを介して、前記照明装置の前記ネットワークに接続時に前記照明装置と双方向の通信を行う通信部と、
前記照明装置からの信号に基づいて、前記画面に表示される画像の画質を調整する制御部と、
を備える表示装置。
【請求項２】
ＵＰｎＰ（Universal Plug and Play）により前記ネットワークを介して前記照明装置と通信を行うことを特徴とする請求項１に記載の表示装置。
【請求項３】
前記画面に表示されるコンテンツのジャンルを判定するジャンル判定部を備え、前記ジャンル判定部の判定結果に基づいて前記ネットワークを介して前記照明装置の輝度を調整することを特徴とする請求項１または請求項２に記載の表示装置。
【請求項４】
前記コンテンツのジャンルがニュースまたはアニメーションの場合に前記照明装置の輝度を上昇させることを特徴とする請求項３に記載の表示装置。
【請求項５】
前記画面上の画像の輝度が所定値を超えた際に前記ネットワークを介して前記照明装置の輝度を上昇させることを特徴とする請求項１または請求項２に記載の表示装置。
【請求項６】
投射光を投射面に投射して前記投射面に画像を表示する投射部と、
前記投射部の周囲を照明する照明装置に接続可能な所定のネットワークを介して、前記照明装置の前記ネットワークに接続時に前記照明装置と双方向の通信を行う通信部と、
を備え、前記通信部を介して前記照明装置に信号を送信し、
前記投射部を駆動させた際に点灯状態の前記照明装置の輝度を低下させるプロジェクタ装置。
【請求項７】
光源と、
画面を有する表示部を備えた表示装置に接続可能な所定のネットワークを介して、前記表示装置の前記ネットワークに接続時に前記表示装置と双方向の通信を行う通信部と、
前記表示装置からの信号に基づいて、前記光源の出力を調整する制御部と、
を備える照明装置。
【請求項８】
画面を有する表示部を備える表示装置と、
光源を有して前記表示装置の周囲に配される照明装置と、
前記表示装置及び前記照明装置が接続される所定のネットワークと、
を備え、前記表示装置と前記照明装置とは双方向の通信を行い、
前記表示装置は前記照明装置からの信号に基づいて、前記画面に表示される画像の画質を調整するとともに、
前記照明装置は前記表示装置からの信号に基づいて、前記光源の出力を調整する表示システム。
【請求項９】
ＵＰｎＰ（Universal Plug and Play）により前記ネットワークを介して前記照明装置と前記表示装置とが双方向の通信を行うことを特徴とする請求項８に記載の表示システム。
【請求項１０】
居室の窓部に取り付けられるカーテンの開閉を検知する開閉検知部を備え、前記開閉検知部は前記ネットワークに接続され、前記表示装置は前記開閉検知部の検知結果に基づいて、前記画面に表示される画像の画質を調整することを特徴とする請求項８または請求項９に記載の表示システム。
【請求項１１】
前記表示装置の周囲環境の照度を検知する照度検知部を備え、前記照度検知部は前記ネットワークに接続され、前記表示装置は前記照度検知部の検知結果に基づいて、前記画面に表示される画像の画質を調整することを特徴とする請求項８〜請求項１０のいずれかに記載の表示システム。
【発明の詳細な説明】
【技術分野】
【０００１】
本発明は、ネットワークに接続される表示装置、ネットワークに接続されるプロジェクタ装置、ネットワークに接続される照明装置に関する。また本発明は、表示装置と照明装置とを備えた表示システムに関する。
【背景技術】
【０００２】
特許文献１には、従来の表示システムが開示されている。この表示システムは表示装置、照明装置及び制御装置を備える。表示装置は液晶表示パネルから成る画面と、画面よりも後方に配されてＬＥＤを有するバックライトとを備え、バックライトを駆動させて画面に画像を表示する。照明装置はＬＥＤを有し、表示装置の周囲を照明する。制御装置は表示装置及び照明装置に接続され、表示装置及び照明装置に対して制御信号を送信する。
【０００３】
上記構成の表示システムにおいて、制御装置から点灯状態の照明装置へ制御信号が送信されると、その制御信号は画面表示状態の表示装置にも送信される。これにより、照明装置の輝度等を変化させた際に表示装置の表示出力が調整される。
【先行技術文献】
【特許文献】
【０００４】
【特許文献１】特開２００７−１４０２３４号公報（第７頁、第８頁、第１図、第９図）
【発明の概要】
【発明が解決しようとする課題】
【０００５】
しかしながら、上記従来の表示システムによると、表示装置は照明装置に対して制御信号を送信しないため、表示装置の画面表示状態の変化を照明装置へ伝達することができない。このため、照明装置の照明状態は表示装置の画面表示状態の変化に迅速に追随することが困難となり、表示システムの利便性が低下する問題があった。また、照明装置及び表示装置の他に専用の制御装置を設けるとともに、照明装置及び表示装置が専用の制御装置からの制御信号に対して応答できるように表示システムを特別に構築するため、表示システムの製造コストが上昇する問題があった。
【０００６】
本発明は、製造コストの上昇を抑制して利便性を向上できる表示システム、表示装置、照明装置及びプロジェクタ装置を提供することを目的とする。
【課題を解決するための手段】
【０００７】
上記目的を達成するために、本発明の表示装置は、
画面を有する表示部と、
前記表示部の周囲を照明する照明装置に接続可能な所定のネットワークを介して、前記照明装置の前記ネットワークに接続時に前記照明装置と双方向の通信を行う通信部と、
前記照明装置からの信号に基づいて、前記画面に表示される画像の画質を調整する制御部と、
を備えることを特徴としている。
【０００８】
この構成によると、表示部の画面に画像が表示される。表示装置の通信部は、照明装置が接続されるＬＡＮ等のネットワークを介して照明装置と双方向の通信を行う。表示装置の制御部は照明装置からの信号に基づいて、画面に表示される画像の画質を調整する。
【０００９】
また本発明は、上記構成の表示装置において、ＵＰｎＰ（Universal Plug and Play）により前記ネットワークを介して前記照明装置と双方向の通信を行うと好ましい。この構成によると、表示装置の通信部はＵＰｎＰにより照明装置と双方向の通信を行う。
【００１０】
また本発明は、上記構成の表示装置において、前記画面に表示されるコンテンツのジャンルを判定するジャンル判定部を備え、前記ジャンル判定部の判定結果に基づいて前記ネットワークを介して前記照明装置の輝度を調整すると好ましい。
【００１１】
また本発明は、上記構成の表示装置において、前記コンテンツのジャンルがニュースまたはアニメーションの場合に前記照明装置の輝度を上昇させると好ましい。
【００１２】
また本発明は、上記構成の表示装置において、前記画面上の画像の輝度が所定値を超えた際に前記ネットワークを介して前記照明装置の輝度を上昇させると好ましい。
【００１３】
本発明のプロジェクタ装置は、
投射光を投射面に投射して前記投射面に画像を表示する投射部と、
前記投射部の周囲を照明する照明装置に接続可能な所定のネットワークを介して、前記照明装置の前記ネットワークに接続時に前記照明装置と双方向の通信を行う通信部と、
を備え、前記通信部を介して前記照明装置に信号を送信し、
前記投射部を駆動させた際に点灯状態の前記照明装置の輝度を低下させることを特徴としている。
【００１４】
この構成によると、投射部は投射光をスクリーン等の投射面に投射して投射面に画像を表示する。プロジェクタ装置の通信部は、照明装置が接続されるＬＡＮ等のネットワークを介して照明装置と双方向の通信を行う。そして、プロジェクタ装置の通信部は投射部の駆動時に照明装置に対して信号を送信し、点灯状態の照明装置の輝度を低下させる。
【００１５】
本発明の照明装置は、
光源と、
画面を有する表示部を備えた表示装置に接続可能な所定のネットワークを介して、前記表示装置の前記ネットワークに接続時に前記表示装置と双方向の通信を行う通信部と、
前記表示装置からの信号に基づいて、前記光源の出力を調整する制御部と、
を備えることを特徴としている。
【００１６】
この構成によると、照明装置の通信部は、表示装置が接続されるＬＡＮ等のネットワークを介して表示装置と双方向の通信を行う。照明装置の制御部は表示装置からの信号に基づいて光源の出力を調整する。
【００１７】
本発明の表示システムは、
画面を有する表示部を備える表示装置と、
光源を有して前記表示装置の周囲に配される照明装置と、
前記表示装置及び前記照明装置が接続される所定のネットワークと、
を備え、前記表示装置と前記照明装置とは双方向の通信を行い、
前記表示装置は前記照明装置からの信号に基づいて、前記画面に表示される画像の画質を調整するとともに、
前記照明装置は前記表示装置からの信号に基づいて、前記光源の出力を調整することを特徴としている。
【００１８】
また本発明の表示システムは、ＵＰｎＰ（Universal Plug and Play）により前記ネットワークを介して前記照明装置と前記表示装置とが双方向の通信を行うと好ましい。
【００１９】
また本発明は、上記構成の表示システムにおいて、居室の窓部に取り付けられるカーテンの開閉を検知する開閉検知部を備え、前記開閉検知部は前記ネットワークに接続され、前記表示装置は前記開閉検知部の検知結果に基づいて、前記画面に表示される画像の画質を調整すると好ましい。
【００２０】
また本発明は、上記構成の表示システムにおいて、前記表示装置の周囲環境の照度を検知する照度検知部を備え、前記照度検知部は前記ネットワークに接続され、前記表示装置は前記照度検知部の検知結果に基づいて、前記画面に表示される画像の画質を調整すると好ましい。
【発明の効果】
【００２１】
本発明の表示装置によると、照明装置のネットワークに接続時に照明装置と双方向の通信を行う通信部を備え、照明装置からの信号に基づいて、画面に表示される画像の画質を調整する。これにより、表示装置は例えばＬＡＮ等の汎用のネットワークを介して照明装置と双方向の通信を行い、照明装置の輝度や色調の変化に連動して画像の画質を調整することができる。したがって、表示装置の利便性を向上させることができる。また、表示装置は従来の専用の制御装置を介さずにＬＡＮ等に接続できるため、表示装置の製造コストの上昇を抑制することができる。
【００２２】
また本発明のプロジェクタ装置によると、照明装置のネットワークに接続時に照明装置と双方向の通信を行う通信部を備え、投射部を駆動させた際に通信部を介して、点灯状態の照明装置の輝度を低下させる。これにより、プロジェクタ装置は例えばＬＡＮ等の汎用のネットワークを介して照明装置と双方向の通信を行い、投射部の駆動に連動して視聴環境を暗くすることができる。したがって、プロジェクタ装置の利便性を向上させることができる。また、プロジェクタ装置は従来の専用の制御装置を介さずにＬＡＮ等に接続できるため、プロジェクタ装置の製造コストの上昇を抑制することができる。
【００２３】
また本発明の照明装置によると、表示装置のネットワークに接続時に表示装置と双方向の通信を行う通信部を備え、表示装置からの信号に基づいて光源の出力を調整する。これにより、照明装置は例えばＬＡＮ等の汎用のネットワークを介して表示装置と双方向の通信を行い、画像の輝度や色調の変化に連動して光源の出力を調整することができる。したがって、照明装置の利便性を向上させることができる。また、照明装置は従来の専用の制御装置を介さずにＬＡＮ等に接続できるため、照明装置の製造コストの上昇を抑制することができる。
【００２４】
また本発明の表示システムによると、表示装置と照明装置とはネットワークを介して双方向の通信を行い、表示装置は照明装置からの信号に基づいて、画面に表示される画像の画質を調整する。また、照明装置は表示装置からの信号に基づいて、前記光源の出力を調整する。これにより、例えばＬＡＮ等の汎用のネットワークを介して表示装置と照明装置とは双方向の通信を行い、画像の輝度や色調の変化に連動して光源の輝度や色調を調整することができる。また、光源の輝度や色調の変化に連動して画像の輝度や色調を調整することができる。したがって、表示システムの製造コストの上昇を抑制して利便性を向上させることができる。
【図面の簡単な説明】
【００２５】
【図１】本発明の第１実施形態の表示システムの概略を示す構成図
【図２】本発明の第１実施形態の表示システムのテレビジョン受像装置の構成を示すブロック図
【図３】本発明の第１実施形態の表示システムの録画再生装置の構成を示すブロック図
【図４】本発明の第１実施形態の表示システムの照明装置の構成を示すブロック図
【図５】本発明の第１実施形態の表示システムの初期設定動作を示すフローチャート
【図６】本発明の第１実施形態の表示システムの照明時画質調整動作を示すフローチャート
【図７】本発明の第１実施形態の表示システムの照明輝度変更動作を示すフローチャート
【図８】本発明の第２実施形態の表示システムの概略を示す構成図
【図９】本発明の第２実施形態の表示システムのプロジェクタ装置の構成を示すブロック図
【図１０】本発明の第２実施形態の表示システムの投射時照明動作を示すフローチャート
【図１１】本発明の第３実施形態の表示システムの概略を示す構成図
【発明を実施するための形態】
【００２６】
＜第１実施形態＞
以下に図面を参照して本発明の実施形態を説明する。図１は第１実施形態の表示システムの概略を示す構成図である。表示システム１００はテレビジョン受像装置１（表示装置）、録画再生装置２及び照明装置３を有する。テレビジョン受像装置１、録画再生装置２及び照明装置３はＬＡＮ７（ネットワーク）に無線接続され、ＵＰｎＰ（Universal Plug and Play）により互いに通信を行う。これにより、テレビジョン受像装置１、録画再生装置２及び照明装置３は容易にＬＡＮ７に参加することができる。なお、テレビジョン受像装置１、録画再生装置２及び照明装置３は有線によりＬＡＮ７に接続されてもよい。
【００２７】
ＵＰｎＰとは、機器同士が簡単に相互認証することができるとともに、サービスの提供や提供されたサービスを実行することができるように取り決められたプロトコルである。
【００２８】
照明装置３からテレビジョン受像装置１や録画再生装置２への通信には、ＵＰｎＰ仕様のUPnP AV Rendering Controlサービスで定義されるBlack Level設定を利用することができる。Black Level設定には「RedVideoBlackLevel」、「GreenVideoBlackLevel」及び「BlueVideoBlackLevel」が含まれる。また、色調設定には「RedVideoGain」、「GreenVideoGain」及び「BlueVideoGain」を利用することができる。
【００２９】
また、テレビジョン受像装置１や録画再生装置２から照明装置３への通信には、ＵＰｎＰ仕様のLighting Contorolサービスで定義されるDimmer設定を利用することができる。Dimmer設定には、「LoadLevelTaget」及び「LoadLevelStatus」が含まれる。これにより、照明装置３を調光することができる。なお、照明装置３の色調設定は、ＵＰｎＰでは未定義のため、Dimmer設定の定義を利用して、後述の赤色、緑色及び青色のＬＥＤそれぞれに対して輝度設定を行う。
【００３０】
テレビジョン受像装置１は居室内のラック（不図示）に設置される設置部１０１により支持される本体部１０を有し、ＴＶ放送信号を受信する。本体部１０の前面には表示部１１及び音声出力部１２が設けられる。本体部１０には接続ケーブル１７ａ（図２参照）を介して録画再生装置２が接続される。
【００３１】
表示部１１は例えば液晶表示パネルから成る画面１１ａと、バックライト１１ｂとを有する。バックライト１１ｂは画面１１ａよりも後方に設けられる。バックライト１１ｂは実装基板１１ｃに実装された複数のＬＥＤ１１ｄを有する。複数のＬＥＤ１１ｄには赤色、緑色及び青色のＬＥＤが含まれる。バックライト１１ｂが駆動され、ＴＶ放送局から受信した映像信号に基づく映像（画像）や録画再生装置２で再生された映像（画像）が画面１１ａに表示される。音声出力部１２はスピーカから成り、音声を出力する。
【００３２】
また、本体部１０はリモートコントローラ８０と赤外線やＢｌｕｅｔооｔｈ（登録商標）規格に従った無線通信を行い、リモートコントローラ８０によって遠隔操作される。リモートコントローラ８０は十字キー８０ａ及び文字キー８０ｂを有する。
【００３３】
ＤＶＤ装置やＢｌｕ−ｒａｙ（登録商標）装置等の録画再生装置２は接続ケーブル１７ａ（図２参照）によりテレビジョン受像装置１の本体部１０に接続される。録画再生装置２は放送番組等の映像や音声を記憶部２８（図３参照）やディスク等の記録媒体に記録し、記憶部２８や記録媒体に記録された映像や音声を再生する。
【００３４】
録画再生装置２は表示部２１及び操作部２２を有する。表示部２１は例えば液晶表示パネルから成る画面を有し、録画操作中の放送番組名や録画時間等を表示する。操作部２２は複数の操作ボタン２２ａを有し、各操作ボタン２２ａの操作により録画再生装置２への電源投入や、記憶部２８や記録媒体に記録された映像の再生動作等を行うことができる。また、録画再生装置２はリモートコントローラ８０によって遠隔操作することができる。
【００３５】
照明装置３は例えば居室の天井面に取り付けられ、居室内を照明する。照明装置３は、天井面に取り付けられて下方を開口した円柱形状の筐体３２内に複数のＬＥＤ３１（光源）を有し、下方の開口は半透明の樹脂から成るカバー３３により塞がれる。複数のＬＥＤ３１は実装基板（不図示）に実装され、筐体３２の周方向に沿って環状に配置される。なお、複数のＬＥＤ３１には赤色、緑色及び青色のＬＥＤが含まれる。
【００３６】
図２は、テレビジョン受像装置１の本体部１０の構成を示すブロック図である。本体部１０はＣＰＵから成る制御部１９を備え、制御部１９はテレビジョン受像装置１の各部を制御する。制御部１９には、表示部１１、音声出力部１２、ジャンル判定部１３、チューナ１４、操作部１５、無線接続部１６（通信部）、有線接続部１７及び記憶部１８がそれぞれ接続される。
【００３７】
操作部１５は本体部１０の上面や側面に配される複数の操作ボタン（不図示）を有し、各操作ボタンの操作により本体部１０への電源投入、チャンネルの変更、音声出力部１２から出力される音量の調節等を行うことができる。また、操作部１５の操作によって画面１１ａの輝度や色調を調整することができる。
【００３８】
チューナ１４にはアンテナ１４ａが接続され、チューナ１４はアンテナ１４ａを介してＴＶ放送局からＴＶ放送信号を受信して復調する。
【００３９】
無線接続部１６にはアンテナ１６ａが設けられる。無線接続部１６はアンテナ１６ａを介して例えばＢｌｕｅｔооｔｈ規格に従った無線通信によりリモートコントローラ８０との間で通信データの送受信を行う。また、無線接続部１６はＬＡＮ７に無線接続される。
【００４０】
有線接続部１７には接続ケーブル１７ａを介して録画再生装置２が接続される。接続ケーブル１７ａはＨＤＭＩ（High-Definition Multimedia Interface）（登録商標）規格に準拠している。また、接続ケーブル１７ａにはＣＥＣ（Consumer Electronics Control）制御線（不図示）が設けられている。本体部１０や録画再生装置２で設定した機能を動作させるためのコマンドはＣＥＣ制御線を介して本体部１０と録画再生装置２との間で送受信される。これにより、本体部１０と録画再生装置２との間で相互に機能を制御することができる。例えば、有線接続部１７により、本体部１０は録画再生装置２に対して制御信号を送信することができる。
【００４１】
記憶部１８は例えばＥＥＰＲＯＭ等から成り、本体部１０の動作プログラムや各種データを記憶する。なお、ハードディスクドライブ（ＨＤＤ）により記憶部１８を構成してもよい。
【００４２】
ジャンル判定部１３は、例えばチューナ１４により受信されるＥＰＧ（Electronic Program Guide：電子番組ガイド）データに含まれるジャンル情報に基づいて放送番組のジャンルを判定する。
【００４３】
また、ジャンル判定部１３は、録画再生装置２で再生されたコンテンツを画面１１ａに表示する場合には、コンテンツ種別を表すフラグ（例えば「アニメーション」を示す識別コード）を読み出して判定する。
【００４４】
図３は、録画再生装置２の構成を示すブロック図である。録画再生装置２はＣＰＵから成る制御部２９を備え、制御部２９は録画再生装置２の各部を制御する。制御部２９には、表示部２１、操作部２２、ジャンル判定部２３、チューナ２４、無線接続部２６、有線接続部２７及び記憶部２８がそれぞれ接続される。また、制御部２９には画質調整部２５が設けられる。
【００４５】
チューナ２４にはアンテナ２４ａが接続され、チューナ２４はアンテナ２４ａを介してＴＶ放送局からＴＶ放送信号を受信して復調する。なお、チューナを複数設けてもよい。
【００４６】
無線接続部２６にはアンテナ２６ａが設けられる。無線接続部２６はアンテナ２６ａを介して例えばＢｌｕｅｔооｔｈ規格に従った無線通信によりリモートコントローラ８０との間で通信データの送受信を行う。また、無線接続部２６はＬＡＮ７に無線接続される。
【００４７】
有線接続部２７には接続ケーブル１７ａを介してテレビジョン受像装置１の本体部１０が接続される。これにより、本体部１０と録画再生装置２との間で相互に機能を制御することができる。例えば、有線接続部２７により、録画再生装置２は本体部１０に対して制御信号を送信することができる。
【００４８】
記憶部２８は例えばハードディスクドライブ（ＨＤＤ）等から成り、録画再生装置２の動作プログラムや各種データを記憶する。各種データには録画された放送番組等が含まれる。
【００４９】
ジャンル判定部２３は、本体部１０のジャンル判定部１３と同様に、録画再生装置２で再生されるコンテンツのジャンルを判定する。
【００５０】
画質調整部２５は録画再生装置２で再生されるコンテンツの画質（輝度や色調）を調整する。
【００５１】
図４は、照明装置３の構成を示すブロック図である。照明装置３はＣＰＵから成る制御部３９を備え、制御部３９は照明装置３の各部を制御する。制御部３９には、ＬＥＤ３１、操作部３４、無線接続部３６（通信部）及び記憶部３８がそれぞれ接続される。
【００５２】
操作部３４は例えば居室の側壁に配されたスイッチや調整つまみ等から成る。操作部３４の操作によりＬＥＤ３１の輝度や色調を変更することができる。
【００５３】
無線接続部３６にはアンテナ３６ａが設けられる。無線接続部３６はアンテナ３６ａを介して例えばＢｌｕｅｔооｔｈ規格に従った無線通信により照明用リモートコントローラ（不図示）との間で通信データの送受信を行う。照明用リモートコントローラの所定操作により、照明装置３の輝度や色調を変更することができる。また、無線接続部２６はＬＡＮ７に無線接続される。
【００５４】
記憶部３８は例えばＥＥＰＲＯＭ等から成り、照明装置３の動作プログラムや各種データを記憶する。
【００５５】
図５は、表示システム１００の初期設定動作を示すフローチャートである。初期設定動作では、照明装置３の輝度及び色調に対して、テレビジョン受像装置１の画面１１ａに表示される画像の輝度及び色調を使用者の嗜好に合わせて設定する。ここでは、バックライト１１ｂの輝度及び色調を任意の値に固定し、録画再生装置２で再生されるコンテンツの画質を調整することにより画面１１ａに表示される画像の輝度及び色調を設定する方法を例として説明する。
【００５６】
使用者が例えばリモートコントローラ８０等の所定操作により表示部１１の画面１１ａに所定の設定画面を表示すると、初期設定動作が開始される。この時、テレビジョン受像装置１、録画再生装置２及び照明装置３の電源はいずれもＯＮになっている。
【００５７】
ステップ＃１では、画面１１ａに例えば「照明設定をデフォルトにして下さい。デフォルト後に決定ボタンを押して下さい。」等とのメッセージを表示し、使用者に対して照明装置３のデフォルト設定を要求する。ここで、照明装置３のデフォルト設定とは、照明装置３の出荷時に設定された輝度及び色調を示し、使用者が通常使用する時の輝度及び色調を示す。ステップ＃２ではリモートコントローラ８０等の決定ボタンの押下げ（入力）があるまで待機する。決定ボタンの押下げがあるとステップ＃３に移行する。
【００５８】
ステップ＃３では、画面１１ａに例えば「画像の明るさと色調を設定して下さい。設定後に決定ボタンを押して下さい。」等とのメッセージを表示し、使用者に対して画像の輝度及び色調の設定を要求する。ステップ＃４では決定ボタンの押下げがあるまで待機する。決定ボタンの押下げがあると、画像の輝度及び色調の値が照明装置３のデフォルト設定と関連付けられて記憶部２８に記憶される。なお、照明装置３の輝度及び色調のデフォルト値を録画再生装置２の記憶部２８に予め記憶させておく。また、使用者は画面１１ａに表示された画像を見ながら画像の輝度及び色調を調整することができる。
【００５９】
これにより、照明装置３の輝度及び色調のデフォルト値に対して画像の輝度及び色調を使用者の嗜好に合わせることができる。すなわち、画像の画質を使用者の嗜好に合わせることができる。
【００６０】
ステップ＃６では、画面１１ａに例えば「照明を任意の明るさに変更して下さい。変更後に決定ボタンを押して下さい。」等とのメッセージを表示し、使用者に対して照明装置３の輝度（照明輝度）の変更を要求する。ステップ＃７では決定ボタンの押下げがあるまで待機する。決定ボタンの押下げがあるとステップ＃８に移行する。
【００６１】
ステップ＃８では、録画再生装置２が照明装置３から照明輝度の変更値を受信するまで待機する。録画再生装置２が照明輝度の変更値を受信すると、ステップ＃９では画面１１ａに「画像の明るさ設定を変更して下さい。変更後に決定ボタンを押して下さい。」等とのメッセーを表示し、使用者に対して画像の輝度（画像輝度）の変更を要求する。ステップ＃１０では決定ボタンの押下げがあるまで待機する。決定ボタンの押下げがあると、ステップ＃１１に移行して、画像の輝度の変更値が照明装置３の輝度の変更値に関連付けられて記憶部２８に記憶される。
【００６２】
ステップ＃１２では、画面１１ａに例えば「照明を任意の色調に変更して下さい。変更後に決定ボタンを押して下さい。」等とのメッセージを表示し、使用者に対して照明装置３の色調（照明色調）の変更を要求する。ステップ＃１３では決定ボタンの押下げがあるまで待機する。決定ボタンの押下げがあるとステップ＃１４に移行する。
【００６３】
ステップ＃１４では、録画再生装置２が照明装置３から照明色調の変更値を受信するまで待機する。録画再生装置２が照明色調の変更値を受信すると、ステップ＃１５では画面１１ａに「画像の色調設定を変更して下さい。変更後に決定ボタンを押して下さい。」等とのメッセーを表示し、使用者に対して画像の色調（画像色調）の変更を要求する。ステップ＃１６では決定ボタンの押下げがあるまで待機する。決定ボタンの押下げがあると、ステップ＃１７に移行して、画像の色調の変更値が照明装置３の色調の変更値に関連付けられて記憶部２８に記憶される。
【００６４】
ステップ＃１８では使用者による終了操作が行われたか否かが判断される。終了操作が行われた場合には初期設定動作は終了し、終了操作が行われていない場合にはステップ＃６に戻って、ステップ＃６〜ステップ＃１８が繰り返される。
【００６５】
なお、ステップ＃６からステップ＃１７までの動作は複数回行われると好ましい。これにより、使用者の嗜好に沿って、照明装置３の複数の輝度値にそれぞれ対応して画像の輝度値を設定できるとともに、照明装置３の複数の色調値にそれぞれ対応して画像の色調値を設定できる。したがって、後述の照明時画質調整動作の際に画像の輝度や色調を使用者の嗜好に容易に合わせることができる。
【００６６】
図６は、照明装置３の照明時における録画再生装置２の画質調整動作（照明時画質調整動作）を示すフローチャートである。なお、図５の初期設定動作は完了している。使用者が照明装置３の操作部３４や照明用リモートコントローラを操作すると、ＬＥＤ３１が駆動されて照明装置３が点灯する。そして、使用者の操作により録画再生装置２ではコンテンツが再生され、画面１１ａには画像が表示されている。これにより、照明時画質調整動作が開始される。
【００６７】
ステップ＃３１では、照明装置３の輝度が前回から変更されたか否かが判断される。照明装置３の輝度が変更された場合にはステップ＃３２に移行し、変更されていない場合にはステップ＃３４に移行する。
【００６８】
ステップ＃３２では、ＵＰｎＰを利用して照明装置３から録画再生装置２へ照明輝度の変更値を送信する。ステップ＃３３では照明装置３の輝度の変更に連動して画像の輝度が変更される。この時、初期設定動作での設定にも基づいているため、画像は使用者の嗜好に合う輝度に変更される。
【００６９】
ステップ＃３４では照明装置３の色調が変更されたか否かが判断される。照明装置３の色調が変更された場合にはステップ＃３５に移行し、変更されていない場合にステップ＃３１に戻ってステップ＃３１〜ステップ＃３６が繰り返される。
【００７０】
ステップ＃３５では、ＵＰｎＰを利用して照明装置３から録画再生装置２へ色調の変更値を送信する。ステップ＃３６では、照明装置３の色調の変更に連動して画像の色調が変更される。この時、初期設定動作での設定にも基づいているため、画像は使用者の嗜好に合う色調に変更される。
【００７１】
ステップ＃３３及びステップ＃３６の後にステップ＃３１に戻ってステップ＃３１〜ステップ＃３６が繰り返される。
【００７２】
これにより、照明装置３の輝度や色調の変化に連動して、テレビジョン受像装置１の画面１１ａに表示される画像の輝度や色調が使用者の嗜好に沿って変更される。したがって、表示システム１００の利便性を向上させることができる。
【００７３】
図７は、画像のジャンルに基づいて照明装置３の輝度を変更する動作（照明輝度変更動作）を示すフローチャートである。テレビジョン受像装置１、録画再生装置２及び照明装置３がオンになると、照明輝度変更動作が開始される。ステップ＃４１では、録画再生装置２において録画番組等のコンテンツが再生中か否かが判断される。再生中の場合にはステップ＃４２に移行し、再生中ではない場合にはステップ＃４７に移行する。
【００７４】
ステップ＃４２ではコンテンツのジャンルの判定が行われる。ステップ＃４３では、コンテンツのジャンルがニュースまたはアニメーションであるか否かが判断される。ジャンルがアニメーションまたはニュースの場合にはステップ＃４４に移行し、ジャンルがアニメーション及びニュースではない場合にはステップ＃４８に移行する。
【００７５】
ステップ＃４４では照明装置３の輝度が所定の下限値よりも低いか否かが判断される。ここで、下限値としては輝度変化の多いコンテンツを視聴する際に健康上望ましい照明輝度を設定することができる。照明装置３の輝度が下限値よりも低い場合にはステップ＃４５に移行し、下限値よりも低くない場合にはステップ＃４１に戻る。
【００７６】
ステップ＃４５では録画再生装置２から照明装置３へ照明輝度を上昇させるコマンド（信号）を送信する。ステップ＃４６では照明装置３の輝度が上昇する。この時、照明装置３の輝度を最大値まで上昇させてもよい。ステップ＃４６の後はステップ＃４１に戻ってステップ＃４１〜ステップ＃５０が繰り返される。
【００７７】
ステップ＃４７では、録画再生装置２が一時停止中か否かが判断される。なお、一時停止の後に再生動作を再開すると、コンテンツの最初には戻らずに続きから再生される。一時停止中の場合にはステップ＃４８に移行し、一時停止中ではない場合にはステップ＃６１に移行する。なお、ステップ＃４７で一時停止中ではない場合（ステップ＃４７のＮＯの場合）は完全停止となり、完全停止後に再生を行った場合にはコンテンツは最初から再生される。
【００７８】
ステップ＃４８では、照明装置３の輝度が上記の下限値よりも高いか否かが判断される。照明装置３の輝度が下限値よりも高い場合にはステップ＃４９に移行し、高くない場合にはステップ＃４１に戻る。
【００７９】
ステップ＃４９では、録画再生装置２から照明装置３へ照明輝度を低下させるコマンドを送信する。ステップ＃５０では、照明装置３の輝度が低下する。この時、照明装置３の輝度は輝度の上昇の前の輝度に戻る。ステップ＃５０の後にステップ＃４１に戻ってステップ＃４１〜ステップ＃５０が繰り返される。
【００８０】
ステップ＃６１では、照明装置３の輝度が上記の下限値よりも高いか否かが判断される。照明装置３の輝度が下限値よりも高い場合にはステップ＃６２に移行し、高くない場合には照明輝度変更動作が終了される。
【００８１】
ステップ＃６２では、録画再生装置２から照明装置３へ照明輝度を低下させるコマンドを送信する。ステップ＃６３では、照明装置３の輝度が低下して輝度の上昇の前の輝度に戻って、照明輝度変更動作が終了される。
【００８２】
コンテンツがアニメーションやニュースの場合には、フラッシュ等により画面１１ａ上の画像の輝度が急激に変化する場合がある。この時に居室内が暗いと、使用者の目に対する刺激が強くなり健康に対して悪影響を及ぼすおそれがある。本実施形態では、コンテンツがアニメーションやニュースの場合には照明装置３の輝度を上昇させて居室内を明るくするため、健康に対する悪影響を低減することができる。
【００８３】
なお、図７において、ステップ＃４２を省き、ステップ＃４３でジャンルの判定に替えて画面１１ａ上の画像の輝度が所定の上限値を超えたか否かについて判断し、ステップ＃４４以降の処理を行ってもよい。この場合でも、健康に対する悪影響を低減することができる。
【００８４】
本実施形態によると、テレビジョン受像装置１、録画再生装置２及び照明装置３はＬＡＮ７（ネットワーク）に接続され、録画再生装置２は照明装置３からの信号に基づいて画像の画質を調整する。そして、録画再生装置２で画質が調整された画像は画面１１ａに表示される。これにより、汎用性を有するＬＡＮ７を利用して、照明装置３の輝度や色調の変化に連動して画像の画質を調整することができる。したがって、テレビジョン受像装置１、録画再生装置２及び表示システム１００の利便性を向上させることができる。また、テレビジョン受像装置１、録画再生装置２及び照明装置３は従来の専用の制御装置を介さずにＬＡＮ７に接続できるため、テレビジョン受像装置１、録画再生装置２、照明装置３及び表示システムの製造コストの上昇を抑制することができる。
【００８５】
また、録画再生装置２はＵＰｎＰによりＬＡＮ７を介して照明装置３と通信を行うため、録画再生装置２と照明装置３との通信を簡単に行うことができる。
【００８６】
また、ジャンル判定部２３の判定結果に基づいて照明装置３の輝度を調整するため、例えば輝度変化の激しいコンテンツ等を視聴する場合に健康に対する悪影響を低減することができる。
【００８７】
また、再生されるコンテンツのジャンルがニュースまたはアニメーションの場合に照明装置３の輝度を上昇させるため、フラッシュ等が多いニュースやアニメーションを視聴する場合に健康に対する悪影響を低減することができる。
【００８８】
また、画面１１ａ上のコンテンツの輝度が所定値を超えた際に、照明装置３の輝度を上昇させてもよい。この場合でも健康に対する悪影響を低減することができる。
【００８９】
また照明装置３は、ＬＡＮ７を介してテレビジョン受像装置１や録画再生装置２と双方向の通信を行い、テレビジョン受像装置１や録画再生装置２からの信号に基づいて、ＬＥＤ３１（光源）の出力を調整する。これにより、汎用性を有するＬＡＮ７を利用して、画質の輝度や色調の変化に連動して照明装置３の輝度や色調を調整することができる。したがって、照明装置３の利便性を向上させることができる。また、照明装置３は従来の専用の制御装置を介さずにＬＡＮ７に接続できるため、照明装置３の製造コストの上昇を抑制することができる。
【００９０】
なお、本実施形態では、テレビジョン受像装置１と録画再生装置２とを別体にしているが、テレビジョン受像装置１と録画再生装置２とを一体にして構成してもよい。
【００９１】
また、本実施形態において、録画再生装置２を省き、テレビジョン受像装置１と照明装置３とが双方向の通信を行い、照明装置３の輝度や色調の変化に連動して画面１１ａの輝度や色調を調整してもよい。また、録画再生装置２を省き、テレビジョン受像装置１と照明装置３とが双方向の通信を行い、画面１１ａの輝度や色調の変化に連動して照明装置３の輝度や色調を調整してもよい。
【００９２】
＜第２実施形態＞
次に、本発明の第２実施形態について説明する。図８は第２実施形態の表示システムの概略を示す構成図である。図９は第２実施形態の表示システムのプロジェクタ装置の構成を示すブロック図である。説明の便宜上、図１〜図７に示す第１実施形態と同様の部分には同一の符号を付している。本実施形態では、プロジェクタ装置４がＬＡＮ７に接続されている点で第１実施形態とは異なっている。その他の部分は第１実施形態と同様である。
【００９３】
プロジェクタ装置４はＣＰＵから成る制御部４９を備え、制御部４９はプロジェクタ装置４の各部を制御する。制御部４９には、投射部４１、無線接続部４２（通信部）、操作部４３、冷却ファン４７及び記憶部４８がそれぞれ接続される。
【００９４】
投射部４１は筐体４５の前面に配されるレンズ４１ａと、例えばＬＥＤから成る光源（不図示）とを有する。投射部４１は投射光をスクリーン等の投射面（不図示）に投射して投射面に画像を表示する。
【００９５】
無線接続部４２はＬＡＮ７に無線接続され、ＬＡＮ７を介してＵＰｎＰを用いて照明装置３と双方向の通信を行う。この時、プロジェクタ装置４から照明装置３への通信には、ＵＰｎＰ仕様のLighting Contorolサービスで定義されるDimmer設定を利用する。操作部４３は筐体４５の上面に配されたスイッチやボタン等から成り、操作部４３の操作によりプロジェクタ装置４への電源投入や投射部４１の駆動、停止を行うことができる。また、プロジェクタ装置４用のリモートコントローラ（不図示）によりプロジェクタ装置４は遠隔操作される。
【００９６】
冷却ファン４７は筐体４５内の投射部４１の近傍に配され、ＬＥＤを冷却する。記憶部４８は例えばハードディスクドライブ（ＨＤＤ）等から成り、プロジェクタ装置４の動作プログラムや各種データを記憶する。各種データには、投射部４１で投射する画像データが含まれる。
【００９７】
図１０は、プロジェクタ装置４の投射時における照明装置３の照明動作（投射時照明動作）を示すフローチャートである。プロジェクタ装置４に電源を投入すると、冷却ファン４７が駆動されて投射時照明動作が開始される。なお、この時、照明装置３は点灯状態になっている。ステップ＃５１では投射部４１が駆動されているか否かが判断される。投射部４１が駆動されている場合にはステップ＃５２に移行し、駆動されていない場合にはステップ＃５５に移行する。
【００９８】
ステップ＃５２では照明装置３の輝度が所定の上限値を超えているか否かが判断される。ここで、上限値としては、投射面上の画像を視認できる程度の輝度を設定することができる。照明装置３の輝度が上限値を超えている場合にはステップ＃５３に移行し、超えていない場合にはステップ＃５１に戻る。
【００９９】
ステップ＃５３ではプロジェクタ装置４から照明装置３に対して照明輝度を低下させるコマンド（信号）を送信する。ステップ＃５４では、照明装置３の輝度が上限値よりも低い輝度まで低下する。これにより、室内が暗くなって投射面上の画像を容易に視認することができる。なお、この時に、照明装置３を消灯状態にしてもよい。
【０１００】
ステップ＃５５では、照明装置３の輝度が上記の上限値よりも低いか否かが判断される。照明装置３の輝度が上限値よりも低い場合にはステップ＃５６に移行し、低くない場合にはステップ＃５１に戻る。
【０１０１】
ステップ＃５６では、プロジェクタ装置４から照明装置３に対して照明輝度を上昇させるコマンドを送信する。ステップ＃５７では、照明装置３の輝度が上昇する。この時、照明装置３の輝度は低下する前の輝度に戻る。これにより、例えばプレゼンテーション等を中断して投射部４１の駆動を停止させた際に照明装置３の輝度が上昇し、室内を明るくすることができる。
【０１０２】
なお、プロジェクタ装置４の主電源をオフにする前に投射部４１の駆動を停止するため、プレゼンテーション等の終了後にプロジェクタ装置４の主電源がオフされた場合には照明装置３の輝度は低下する前の輝度に戻る。
【０１０３】
本実施形態によると、第１実施形態と同様の効果を得ることができる。また、プロジェクタ装置４をＬＡＮ７に接続し、投射部４１を駆動させた際に点灯状態の照明装置３の輝度を低下させる。これにより、例えばプレゼンテーションの開始時や再開時に、使用者による照明装置３の操作を必要とせずに、照明装置３の輝度を低下させて室内を暗くすることができる。したがって、プロジェクタ装置４及び表示システム１００の利便性を向上させることができる。
【０１０４】
また、投射部４１を停止させた際に室内が暗い場合には照明装置３の輝度を上昇させる。これにより、例えばプレゼンテーションの中断時や終了後に、使用者による照明装置３の操作を必要とせずに、照明装置３の輝度を上昇させて室内を明るくすることができる。したがって、プロジェクタ装置４及び表示システム１００の利便性をより向上させることができる。
【０１０５】
＜第３実施形態＞
次に、本発明の第３実施形態について説明する。図１１は第３実施形態の表示システムの概略を示す構成図である。説明の便宜上、図１〜図７に示す第１実施形態と同様の部分には同一の符号を付している。本実施形態では、照度検知部５及び開閉検知部６がＬＡＮ７に接続されている点で第１実施形態とは異なっている。その他の部分は第１実施形態と同様である。
【０１０６】
照度検知部５は例えば居室の側壁面や天井面に設置され、居室内の照度を検知する。照度検知部５の検知結果はＬＡＮ７を介してテレビジョン受像装置１や録画再生装置２に送信される。
【０１０７】
居室には窓部６２が設けられ、窓部６２の左部及び右部にはそれぞれカーテン６１ａ、６１ｂが取り付けられる。左右のカーテン６１ａ、６１ｂはカーテンレール（不図示）により窓部６２の開口面に平行な方向に移動可能になっている。左方のカーテン６１ａの右端部にはリードスイッチ６ａが設けられる。右方のカーテン６１ｂの左端部でリードスイッチ６ａに対向する位置にはマグネット６ｂが設けられる。マグネット６ｂはカーテン６１ａ、６１ｂの開閉に伴って、リードスイッチ６ａをＯＮ／ＯＦＦさせる。これにより、開閉検知部６は左右のカーテン６１ａ、６１ｂの開閉を検知することができる。
【０１０８】
上記構成の表示システム１００において、テレビジョン受像装置１や録画再生装置２は照明装置３からの信号に加えて、照度検知部５や開閉検知部６の検知結果にも基づいて画像の輝度や色調を調整する。これにより、自然光による影響にも基づいて、画像の輝度や色調を調整することができる。したがって、表示システム１００の利便性をより向上させることができる。
【０１０９】
第３実施形態によると、第１実施形態と同様な効果を得ることができる。また、照度検知部５や開閉検知部６の検知結果にも基づいて画像の輝度や色調を調整するため、表示システム１００の利便性をより向上させることができる。
【産業上の利用可能性】
【０１１０】
本発明は、照明装置と表示装置とを備える表示システムに利用することができる。
【符号の説明】
【０１１１】
１      テレビジョン受像装置（表示装置）
２      録画再生装置
３      照明装置
４      プロジェクタ装置
５      照度検知部
６      開閉検知部
１０    本体部
１１    表示部
１１ａ  画面
１１ｂ  バックライト
１１ｃ  実装基板
１１ｄ  ＬＥＤ
１２    音声出力部
１３、２３    ジャンル判定部
１４、２４    チューナ
１５、２２    操作部
１６、２６、３６、４２    無線接続部（通信部）
１７、２７    有線接続部
１８、２８    記憶部
１９、２９、３９、４９    制御部
３１    ＬＥＤ（光源）
４１    投射部
８０    リモートコントローラ
１００  表示システム
【図１】
2016024309.tif 000003
【図２】
2016024309.tif 000004
【図３】
2016024309.tif 000005
【図４】
2016024309.tif 000006
【図５】
2016024309.tif 000007
【図６】
2016024309.tif 000008
【図７】
2016024309.tif 000009
【図８】
2016024309.tif 000010
【図９】
2016024309.tif 000011
【図１０】
2016024309.tif 000012
【図１１】
2016024309.tif 000013